(57)【要約】【課題】継続して使用された際の毛束のへたりを簡単に矯正することができる乗客コンベアのチェーンの給油ブラシの提供。【解決手段】本発明は、チェーン６等と、給油ノズル１１Ｅを有する給油装置１１とを備えたエスカレータ１に設けられ、チェーン６等に先端が当接するように給油装置１１の給油ノズル１１Ｅに取り付けられ、給油装置１１から供給された潤滑油をチェーン６等に塗布する給油ブラシ１２が、当該給油ブラシ１２のブラシ部１２Ａすなわち毛束を拘束するように配置され、毛束の根元から毛先方向に向ってスライド可能な毛束カバー１２Ｂを有している。この毛束カバー１２Ｂは、給油ノズル１１Ｅにスライド可能に装着してある。また本発明は、毛束カバー１２Ｂに取り付けられ、先端が毛束の中心方向に次第に向くように延設された櫛１２Ｃを備えている。【選択図】図２
2016113256.tif 000002
【特許請求の範囲】
【請求項１】
チェーンと、給油ノズルを有する給油装置とを備えた乗客コンベアに設けられ、前記チェーンに先端が当接するように前記給油装置の前記給油ノズルに取り付けられ、前記給油装置から供給された潤滑油を前記チェーンに塗布する乗客コンベアのチェーンの給油ブラシにおいて、
前記給油ブラシは、当該給油ブラシの毛束を拘束するように配置され、前記毛束の根元から毛先方向に向ってスライド可能な毛束カバーを有することを特徴とする乗客コンベアのチェーンの給油ブラシ。
【請求項２】
請求項１に記載の乗客コンベアのチェーンの給油ブラシにおいて、
前記毛束カバーを、前記給油ノズルにスライド可能に設けたことを特徴とする乗客コンベアのチェーンの給油ブラシ。
【請求項３】
請求項１に記載の乗客コンベアのチェーンの給油ブラシにおいて、
前記毛束カバーに取り付けられ、先端が前記毛束の中心方向に次第に向くように延設された櫛を備えたことを特徴とする乗客コンベアのチェーンの給油ブラシ。
【請求項４】
請求項１〜３のいずれか１項に記載の乗客コンベアのチェーンの給油ブラシにおいて、
前記乗客コンベアは、エスカレータから成り、
前記チェーンは、ドライビングチェーン、踏段チェーン、ハンドレールメインチェーン、及びハンドレールドライブチェーンのうちの少なくとも１つであることを特徴とする乗客コンベアのチェーンの給油ブラシ。
【請求項５】
請求項４に記載の乗客コンベアのチェーンの給油ブラシにおいて、
前記給油装置は、潤滑油を貯蔵する油タンクと、この油タンクの潤滑油を汲み上げるポンプと、このポンプを駆動するモータと、前記ポンプから吐出された潤滑油を前記チェーンの直上まで導き、先端に前記給油ノズルが取り付けられる給油管とを含むことを特徴とする乗客コンベアのチェーンの給油ブラシ。
【発明の詳細な説明】
【技術分野】
【０００１】
本発明は、エスカレータや動く歩道等の乗客コンベアに備えられるチェーンの給油に用いられる乗客コンベアのチェーンの給油ブラシに関する。
【背景技術】
【０００２】
乗客コンベア、例えばエスカレータに備えられるチェーンの保全は、チェーンに潤滑油を給油し、チェーンの連結部の摩耗を防止することでチェーンの伸びを抑制し、機能を維持している。エスカレータのチェーンの給油には、一般に、給油装置が用いられている。この給油装置は、潤滑油を貯蔵する油タンクと、この油タンクから潤滑油を汲み上げるポンプと、このポンプを駆動させるモータと、ポンプから吐出させた潤滑油をエスカレータの各チェーンの直上まで導く給油管と、この給油管の先端に取り付けた給油ノズルとを含んでいる。この給油装置は、給油ノズルから潤滑油を雫状あるいは糸状に滴下させることで、チェーンに潤滑油を供給するものである。
【０００３】
ところで、給油ノズルから潤滑油をチェーンに滴下させる際に、機器の振動による給油ノズルの位置がずれたときには、または給油ノズルの先端に埃が付着して潤滑油を滴下する位置にずれを生じたときには、チェーンの全体への潤滑油の供給を実現できなくなることがある。
【０００４】
このような問題に対して、従来、特許文献１に記載された塗油装置が提案されている。この塗油装置は、給油ノズルの先端に設けた給油ブラシと、潤滑油を給油ノズルを介して給油ブラシに供給するときに発生する油圧を用いて、給油ブラシをチェーンに当接させるようにしたものである。この従来技術は、給油ノズルから吐出させた潤滑油を給油ブラシに含浸させ、この潤滑油を含んだ給油ブラシをチェーンに当接させることで、チェーンの全体に潤滑油を塗布することができる。また通常、給油ノズルから潤滑油に滴下させるものでは、堆積した埃に潤滑油が吸い込まれて、チェーンに潤滑油が供給されなくなることが起こり得るが、前述した従来技術は、このような場合であっても給油ブラシをチェーンに当接させることで、チェーンの表面の清掃効果が得られ、潤滑油の供給品質を向上させることができる。
【先行技術文献】
【特許文献】
【０００５】
【特許文献１】特開平７−３２８５０５号公報
【発明の概要】
【発明が解決しようとする課題】
【０００６】
特許文献１に開示された従来技術に係る給油ブラシは、駆動中のチェーンに当接させるために、継続して使用される場合には給油ブラシのブラシ部、すなわち毛束がチェーンの稼動方向やチェーンの外側に向って広がり、曲がった状態でくせがついて元に戻らなくなる変形状態、すなわち、毛束のへたりを生じてしまう。このような状態のまま引き続き給油が行われると、チェーンと当接しない毛が生じて給油効率が著しく劣化し、チェーンに対する給油効率の低下、及び清掃能力の低下を招く。
【０００７】
本発明は、前述した従来技術における実情からなされたもので、その目的は、継続して使用された際の毛束のへたりを簡単に矯正することができる乗客コンベアのチェーンの給油ブラシを提供することにある。
【課題を解決するための手段】
【０００８】
前記目的を達成するために、本発明に係る乗客コンベアのチェーンの給油ブラシは、チェーンと、給油ノズルを有する給油装置とを備えた乗客コンベアに設けられ、前記チェーンに先端が当接するように前記給油装置の前記給油ノズルに取り付けられ、前記給油装置から供給された潤滑油を前記チェーンに塗布する乗客コンベアのチェーンの給油ブラシにおいて、前記給油ブラシは、当該給油ブラシの毛束を拘束するように配置され、前記毛束の根元から毛先方向に向ってスライド可能な毛束カバーを有することを特徴としている。
【発明の効果】
【０００９】
本発明に係る乗客コンベアのチェーンの給油ブラシは、毛束にへたりを生じたとき、あるいはへたりを生じそうになったときには、毛束カバーを毛先方向にスライドさせることにより、毛束を元の形態と略同様の形態に矯正することができる。すなわち本発明は、継続して使用された際の毛束のへたりを簡単に矯正することができ、チェーンに対する給油効率、及び清掃能力を従来に比べて向上させることができ、信頼性の高い給油ブラシを実現させることができる。
【図面の簡単な説明】
【００１０】
【図１】本発明に係るチェーンの給油ブラシの一実施形態が設置される乗客コンベアの一例として挙げたエスカレータの構成、及び本実施形態の設置形態を示す斜視図である。
【図２】図１に示すエスカレータに備えられる本実施形態に係るチェーンの給油ブラシを示す斜視図である。
【図３】本実施形態の動作を示す図で、チェーンの給油中に給油ブラシの毛にへたりが生じた状態を示す斜視図である。
【図４】本実施形態の動作を示す図で、給油ブラシが正常な形態に保たれている状態、及び図３に示すようにへたりが生じた給油ブラシを矯正した状態を示す斜視図である。
【発明を実施するための形態】
【００１１】
以下、本発明に係る乗客コンベアのチェーンの給油ブラシの実施の形態を図面に基づいて説明する。
【００１２】
図１は、本発明に係るチェーンの給油ブラシの一実施形態が設置される乗客コンベアの一例として挙げたエスカレータの構成、及び本実施形態の設置形態を示す斜視図である。
【００１３】
この図１に示すように、乗客コンベアを構成するエスカレータ１は、踏段２及びハンドレール３を駆動する電動機４の動力をターミナルギヤ５に伝達するドライビングチェーン６、ターミナルギヤ５に掛けられ、ターミナルギヤ５の駆動に伴い踏段２を循環駆動させる踏段チェーン７、ターミナルギヤ５に掛けられ、踏段２と同期して駆動するハンドレールメインチェーン８、このハンドレールメインチェーン８の駆動力をハンドレール駆動装置９に伝達するハンドレールドライブチェーン１０等の給油対象の各種のチェーンを備えている。
【００１４】
また、エスカレータ１は、給油対象の例えば全てのチェーン６，７，８，１０に、潤滑油を供給する給油装置１１を備えている。この給油装置１１は、潤滑油を貯蔵する油タンク１１Ａと、この油タンク１１Ａの潤滑油を汲み上げるポンプ１１Ｂと、このポンプ１１Ｂを駆動するモータ１１Ｃと、ポンプ１１Ｂから吐出された潤滑油を各チェーン６，７，８，１０の直上まで導く給油管１１Ｄと、これらの給油管１１Ｄのそれぞれの先端に取り付けた給油ノズル１１Ｅとを含んでいる。
【００１５】
本実施形態に係る給油ブラシ１２は、給油ノズル１１Ｅそれぞれの先端に取り付けられ、各チェーン６，７，８，１０にこの給油ブラシ１２の毛束の毛先が当接する位置で固定してある。
【００１６】
図２は、図１に示すエスカレータに備えられる本実施形態に係るチェーンの給油ブラシを示す斜視図である。
【００１７】
この図２に示すように、本実施形態に係る給油ブラシ１２は、当該給油ブラシ１２の毛束すなわちブラシ部１２Ａを拘束するように配置され、ブラシ部１２Ａの根元から毛先方向に向ってスライド可能な毛束カバー１２Ｂを有している。この毛束カバー１２Ｂは例えば、給油ノズル１１Ｅに上下方向のスライド可能に装着してある。
【００１８】
毛束カバー１２Ｂを上方向にスライドさせた場合には、この毛束カバー１２Ｂはブラシ部１２Ａの根元部分の周囲を覆って拘束する。また、毛束カバー１２Ｂを下方向にスライドさせた場合には、ブラシ部１２Ａの毛先側に位置する毛束の部分の周囲を覆って拘束する。
【００１９】
また、本実施形態は、毛束カバー１２Ａの例えば先端に取り付けられ、先端がブラシ部１２Ａすなわち毛束の中心方向に次第に向くように延設された櫛１２Ｃを備えている。
【００２０】
このように構成した本実施形態に係る給油ブラシ１２は、チェーン６，７，８，１０のそれぞれへの給油に際して、前述したようにブラシ部１２Ａの毛先側の先端が該当するチェーンに当接するように配置して固定する。これにより、給油ノズル１１Ｅから吐出された潤滑油は給油ブラシ１２のブラシ部１２Ａに含浸される。したがって、このブラシ部１２Ａに含浸された潤滑油が、該当するチェーンの全体に塗布される。
【００２１】
図３は、本実施形態の動作を示す図で、チェーンの給油中に給油ブラシの毛にへたりが生じた状態を示す斜視図である。
【００２２】
本実施形態に係る給油ブラシ１２のブラシ部１２Ａは、稼働するチェーン６，７，８，１０に常に当接するため、継続して使用した際に、該当するチェーンの移動方向に、また該当するチェーンの外側に向って広がり、曲がったくせのついた変形状態、すなわち、へたりを生じた状態となることがある。
【００２３】
このように、へたりを生じた状態で潤滑油の給油を行った場合には、前述したようにチェーンに当接しない毛が発生し、実質的にチェーンと当接する毛束の面積が小さくなり、給油効率、及び清掃能力が低下することになる。
【００２４】
図４は、本実施形態の動作を示す図で、給油ブラシが正常な形態に保たれている状態、及び図３に示すようにへたりが生じた給油ブラシを矯正した状態を示す斜視図である。
【００２５】
本実施形態に係る給油ブラシ１２は、使用開始または使用を開始してからしばらくの間は、つまりブラシ部１２Ｂの毛にくせが無い状態の間は、給油ノズル１１Ｅに装着した毛束カバー１２Ｂを上方向にスライドさせた状態で、該当するチェーンに潤滑油の塗布を行うことで正常な潤滑油の塗布を行うことができる。また、毛束カバー１２Ｂの先端に設けた櫛１２Ｃが、ブラシ部１２Ａの根元部分を、毛束の中心方向に押えることによって、毛束の毛の曲がりや、広がりを抑えることができる。
【００２６】
また、給油ブラシ１２が継続的に使用されて図３に示すように、ブラシ部１２Ａの毛先側に曲がりくせ、すなわち、へたりを生じたときには、毛束カバー１２Ｂを同図４の矢印２０で示す下方向にスライドさせることが行われる。これによりブラシ部１２Ａの毛先側が毛束カバー１２Ｂに拘束されて、略元の形態となるように矯正される。また、毛束カバー１２Ｂに備えた櫛１２Ｃにより、ブラシ部１２Ａの毛の広がりが抑えられ、給油ノズル１１Ｅから吐出された潤滑油は、櫛１２Ｃを伝いブラシ部１２Ａの毛束中心の方向に集まりやすくなる。
【００２７】
以上のように本実施形態に係る給油ブラシ１２によれば、ブラシ部１２Ａすなわち毛束にへたりを生じたとき、あるいはへたりを生じそうになったときには、毛束カバー１２Ｂを毛先方向にスライドさせることにより、毛束を元の形態と略同様の形態に矯正することができる。すなわち本実施形態は、継続して使用された際の毛束のへたりを簡単に矯正することができ、チェーン６，７，８，１０に対する給油効率、及び清掃能力を向上させることができ、信頼性の高い給油ブラシ１２を実現させることができる。
【００２８】
また本実施形態は、毛束カバー１２Ｂが櫛１２Ｃを備えていることから、前述したように、この櫛１２Ｃを介して潤滑油が毛束の中心方向に集まりやすくなる。これにより、チェーン６，７，８，１０に対する潤滑油の円滑な給油に貢献する。
【００２９】
なお、本実施形態は、チェーン６，７，８，１０の全てに対して給油ブラシ１２を設けてあるが、チェーン６，７，８，１０のうちの少なくとも１つのチェーンに対して給油ブラシ１２を設ける構成にしてもよい。
【符号の説明】
【００３０】
１    エスカレータ（乗客コンベア）
６    ドライビングチェーン
７    踏段チェーン
８    ハンドレールメインチェーン
１０    ハンドレールドライブチェーン
１１    給油装置
１１Ａ  油タンク
１１Ｂ  ポンプ
１１Ｃ  モータ
１１Ｄ  給油管
１１Ｅ  給油ノズル
１２    給油ブラシ
１２Ａ  ブラシ部
１２Ｂ  毛束カバー
１２Ｃ  櫛
【図１】
2016113256.tif 000003
【図２】
2016113256.tif 000004
【図３】
2016113256.tif 000005
【図４】
2016113256.tif 000006